(57)【要約】【課題】屋外で使用時に、不意に落下したり、物が当たって容易に破損することがないようにすると共に、使い勝手が良好で且つ、雨や雪等の天候下でも安心且つ安全に使用することができるようにした電子機器収納ケースを提供すること。【解決手段】電子機器１２が収納された状態で、この電子機器１２の操作部１７と表示部１８が視認可能で、且つ操作可能な視認操作領域２５を形成した箱状の主ケース体１４と、この主ケース体１４の開口側から収納され、前記電子機器１２の胴体部１２ａを支持する胴体受部２１を備えたベース体１３と、このベース体１３に一体的に設けられ、前記電子機器１２に接続されるコネクタ２２を保持させるコネクタ保持用溝部３２を形成した基部２３と、前記コネクタ２２を前記基部２３のコネクタ保持用溝部３２に保持した状態で、前記コネクタ２２が前記コネクタ保持用溝部３２から外れないように基部２３の外側を覆うと共に、前記主ケース体１４の開口と一体的に結合される筒状の副ケース体１５とを備える。【選択図】  図１
2005044973.tif 000002
【特許請求の範囲】
【請求項１】
電子機器が収納された状態で、この電子機器の操作部と表示部が視認可能で、且つ操作可能な視認操作領域を形成した箱状の主ケース体と、この主ケース体の開口側から収納され、前記電子機器の胴体部を支持する胴体受部を備えたベース体と、
このベース体に一体的に設けられ、前記電子機器に接続されるコネクタを保持させるコネクタ保持用溝部を形成した基部と、
前記コネクタを前記基部のコネクタ保持用溝部に保持した状態で、前記コネクタが前記コネクタ保持用溝部から外れないように基部の外側を覆うと共に、前記主ケース体の開口と一体的に結合される筒状の副ケース体とを具備したことを特徴とする電子機器収納ケース。
【請求項２】
前記基部には、この基部の両側面に肉厚方向のＯリング保持用溝部を形成し、前記基部の外側を覆うように設けられる副ケース体との間に圧接状態で装着されるＯリングを備えたことを特徴とする請求項１記載の電子機器収納ケース。
【請求項３】
前記ベース体の基部の両側面部には、この両側面部から弾力的に突出するボール、またはボールが係合し得る係合溝が設けられ、前記副ケース体のベース体が挿入される側には、前記ボールが係合し得る係合溝、または弾力的に突出するボールが設けられたことを特徴とする請求項１記載の電子機器収納ケース。
【請求項４】
前記主ケース体には、その外側周縁の少なく共角部を隆起させた厚肉部を設けたことを特徴とする請求項１記載の電子機器収納ケース。
【請求項５】
前記ケース体の視認操作領域には、柔軟性を有するほぼ透明のフィルムシートを敷設したことを特徴とする請求項１記載の電子機器収納ケース。
【請求項６】
前記基部の前記Ｏリング保持用溝部を有しない面側において、Ｏリングを嵌着する溝部を有する保持具を固定したことを特徴とする請求項２記載の電子機器収納ケース。
【請求項７】
前記フィルムシートは、シート面が曲がる方向に弾力性を有する一方、視認操作領域の縁部側には、前記フィルムシートの端縁を保持するスリットが形成され、このスリットに前記フィルムシートを折り曲げて弾力的に保持させるようにしたことを特徴とする請求項５記載の電子機器収納ケース。
【発明の詳細な説明】
【０００１】
【発明の属する技術分野】
この発明は、例えば電子機器等の電子機器の携帯に好適する電子機器を収納するのに用いられる電子機器収納ケースに関する。
【０００２】
【従来の技術】
一般に、電子機器を携帯する手段として、安全を考慮して電子機器を収納ケースに収納して携帯する方法が採られている。
【０００３】
このような電子機器を収納する収納ケースとしては、折り畳み自在な蓋を形成する余長部を形成した装着用の開口をケース体に設け、この開口より電子機器をケース体に収納し、その収納状態において、その余長部を折り畳んでケース体の開口を閉塞して収納する構成のものが、特開２００２−２８０７５３号公報（特許文献１参照）に開示されている。
【０００４】
そして、この電子機器収納ケースは、そのケース体の余長部の一部を変更調整することにより、防水機能を持つ使用形態と、ケース体に収納した状態で、電子機器に外部接続ケーブルを接続して電子機器の使用を可能とする使用形態に切り替えられる。
【０００５】
しかしながら、前記電子機器の収納ケースでは、その電子機器を収納した携帯時と、電子機器の使用時に応じてケース体の一部を変更調整しなければならないためにその取り扱いが面倒であるという不都合があった。
【０００６】
また、これによると、電子機器を屋外で使用する場合、不意に落下したり、物が当ったりすると、容易に破損したり、壊れたりする恐れがあった。
【０００７】
また、例えば雨が降って来て、雨が直接的に当たったりすると、雨がケース体内に浸入して、ケース体内の電子機器を濡らす虞があった。
【０００８】
このため、屋外での使用時において、天候等により、使用することが困難となるという不都合があった。
【０００９】
斯かる事情は、電子機器を携帯して屋外で使用するにあたっては、重大な課題の一つとなっている。
【００１０】
【特許文献１】
特開２００２−２８０７５３号公報（図１〜図１３）
【００１１】
【発明が解決しようとする課題】
従来の電子機器収納ケースでは、屋外での使用時に破損したり、壊れてしまったり、また、雨や雪等の悪天候時にでもの使用には防水性や使い勝手が劣るという課題を有する。
【００１２】
この発明は、前記の事情に鑑みてなされたもので、雨や雪等の悪天候時にでも安心且つ安全に使用することができると共に、使用中に落下させても容易に破損させたり、壊れたりしないようにした電子機器収納ケースを提供することを目的とする。
【００１３】
【課題を解決するための手段】
前記目的を達成するために、本発明によれば、周壁部に操作部および表示部，外部接続ケーブル側のコネクタが接続された電子機器と、この電子機器が収納され、前記電子機器の操作部と表示部が視認可能で、且つ操作可能な視認操作領域を形成した箱状の主ケース体と、この主ケース体の開口側から収納される一方、前記電子機器をその胴体部を支持する皿状のベース体と、このベース体に一体的に設けられ、前記電子機器に接続されるコネクタを保持させるコネクタ保持用溝部を有する基部と、前記コネクタを前記基部のコネクタ保持用溝部に保持した状態で、前記コネクタが前記コネクタ保持用溝部から外れないように基部の外側を覆うように固定される副ケース体とを具備したことを特徴とする電子機器収納ケースを提供する。
【００１４】
【発明の実施の形態】
本発明の電子機器収納ケースの実施形態について、添付図面を参照して説明する。
【００１５】
図１は、本発明に係る電子機器収納ケース１０の実施形態を示すもので、この電子機器収納ケース１０は、ケース体１１と、このケース体１１内に収納される電子機器１２を直接支持するベース体１３とから構成される。
【００１６】
ケース体１１は、主ケース体１４側へ副ケース体１５を結合させて構成される。
【００１７】
主ケース体１４は、シリコン等の強靭且つ弾力性のある樹脂材料で有底筒状に形成され、その開口部１４ａの周縁には薄肉凸部１４ａを形成している。
【００１８】
る。
【００１９】
また、主ケース体１４には、電子機器１２に対する操作や表示部を露出する操作・表示窓部２５を形成している。
【００２０】
この操作・表示窓部２５は、図２および図３に示すように、主ケース体１４の開口１４ａ側から電子機器１２が収納された際に、その操作部１７および表示部１８が外側へ表示されるように設けられる。
【００２１】
また、この操作・表示窓部２５は、視認および外部操作が可能である一方で、防水性や抗菌作用を保有する透明あるいは半透明で、しかも外部操作可能に柔軟性を有する、例えばフィルムシート２６が張設されている。
【００２２】
更にまた、主ケース体１４には、その底部外側周縁の角部を補強するために、当該角部を隆起させた厚肉部２７を形成している。
【００２３】
なお、この厚肉部２７は、電子機器収納ケース１０を取り扱い中に不意に落下させたときの衝撃を吸収させるちめのもので、角部の他に周縁部全体に設けてもよい。
【００２４】
このように形成された主ケース体１４の内部には、電子機器１２の胴体部１２ａを支持するベース体１３が挿入され保持されている。
【００２５】
一方、副ケース体１５は、金属等の剛性を有する筒状に形成され、主ケース体１４との結合側の開口周縁には薄肉凸部１５ａを形成している。
【００２６】
また、副ケース体１５は、主ケース体１４と結合するにあたって、この主ケース体１４の内部に、前以てベース体１３の胴体受部２１が装着されるようになっている。
【００２７】
更に、副ケース体１５は、胴体受部２１に電子機器１２の胴体部１２ａを装着した状態において、副ケース体１５の薄肉凸部１５ａと、主ケース体１４の薄肉凸部１４ａとを相互に嵌合させて一体的に結合させている。
【００２８】
また、副ケース体１５には、その開口部１５ａの相対向する縁部には、人の手指が入る程度の大きさの一対の切欠部１５ｃを設けている。
【００２９】
この切欠部１５ｃは、ベース体１３をケース体１１に挿脱する際に、ベース体１３が持ち易いように設けられる。
【００３０】
また、ベース体１３は、プラスチックまたは金属等の比較的剛性を有する材料が用いられ、電子機器１２の胴体部１２ａの支持面側の形状に合わせて皿状に形成した胴体受部２１と、電子機器１２に接続されるコネクタ２２側を保持する基部２３とから構成される。
【００３１】
この胴体受部２１は、電子機器１２の胴体部１２ａを安定且つ強固に支持するために、この胴体部１２ａの側部から底部にかけての曲面に合わせた曲面部２１ａを形成してある。
【００３２】
また、基部２３は、コネクタ２２を電子機器１２側に接続した状態で、このコネクタ２２を安定且つ強固に支持するために設けられるもので、胴体受部２１より厚肉に形成される。
【００３３】
電子機器１２は、例えばＰＤＡ（携帯情報端末：Ｐｅｒｓｏｎａｌ  Ｄｉｄｉｔａｌ  Ａｓｓｉｓｔａｎｔ）等の無線通信機器であり、図２および図３に示すように、ケース体１１に形成される収納室１６に収納され、ケース体１１と共に常時携帯して使用されるようになっている。
【００３４】
電子機器１２にはコネクタ接続部１９が設けられ、接続されるコネクタ２２を介して図示しない電源側およびＰＣ（パソコン）等の情報機器側へ接続される。
【００３５】
電子機器１２は、図２および図３に示すように、コネクタ接続部１９に外部接続ケーブル２８へ通電接続するコネクタ２２を接続した状態で胴体部１２ａがベース体１３の胴体受部２１に合致させて安定に支持される。
【００３６】
ベース体１３の基部２３は、ベース体１３が電子機器１２と共に主ケース体１４側に収納された状態で、副ケース体１５にて基部２３の周囲を封止するように嵌入装着される。
【００３７】
ベース体１３の基部２３は、コネクタ２２とコネクタ接続部１９との結合部を安定且つ強固に保持するために、コネクタ２２のラッパ形状に合わせた毛異常のコネクタ保持用溝部３２を形成している。
【００３８】
また、ベース体１３の基部２３側の両側面側には、肉厚方向にＯ型の弾性体、例えば封止用に適する弾力性を備えたＯリング３３を嵌着するＯリング保持用溝部３５を形成している。
【００３９】
このＯリング保持用溝部３５は、基部２３の両側面の例えば４箇所へＯリング保持用溝部３５ａ〜３５ｄを設けている。
【００４０】
このＯリング保持用溝部３５には、Ｏリング３３に嵌着することによって基部２３の周囲を緊張状態で取り付けられる。
【００４１】
また、この基部２３のコネクタ保持用溝部３２に嵌着したコネクタ２２を固く保持させるためにコネクタ抑え金具３６が取り付けられる。
【００４２】
このコネクタ抑え金具３６には、予めＯリング３３を嵌着するＯリング保持用溝部３７が形成されている。
【００４３】
このコネクタ抑え金具３６は、ベース体１３の基部２３側へ保持されるコネクタ２２が移動しないように抑えた状態で、基部２３側へ固定されるものである。
【００４４】
また、同時に基部２３側のＯリング保持用溝部３５に嵌着されるＯリング３３を効果的に保持させるために設けられるものである。
【００４５】
具体的には、ベース体１３の基部２３の両側面部に設けたＯリング保持用溝部３５と、コネクタ抑え金具３６に形成したＯリング保持用溝部３７とがコの字型に連続するように取り付けられる。
【００４６】
また、コネクタ抑え金具３６には、外部接続ケーブル２８を直接抑えられるように、ケーブル抑え部３６ａが設けられ、コネクタ抑え金具３６がベース体１３側へ取り付けられた際に、外部接続ケーブル２８をコネクタ保持用溝部３２側へ抑えて動かないように固定している。
【００４７】
更に、コネクタ保持用溝部３２側の表面４隅には、ネジ穴３８、例えば４個のネジ穴３８ａ〜３８ｄが形成される一方、このネジ穴３８ａ〜３８ｄへコネクタ抑え金具３６を固定するネジ３９、例えば４本のネジ３９ａ〜３９ｄによりネジ締め固定されている。
【００４８】
このようにして、ベース体１３側に位置保持された電子機器１２は、ケース体１１の収納室１６の開口側から圧入状態で装着（収納）される。
【００４９】
従って、電子機器１２は、ケース体１１の収納室１６へ収納された際、Ｏリング３３によって、ケース体１１の収納室１６側が外部から封止されるように取り付けられる。
【００５０】
また、ベース体１３の基部２３の両側面には、図２に示すように凹部４０が設けられ、この凹部４０にバネ４１に連結したボール４２を収容している。
【００５１】
このボール４２は、外方向へ弾性力が付与されるようになっている。
【００５２】
一方、副ケース体１５側には、ボール４２に対向した位置にボール係合溝４３が設けられる。
【００５３】
従って、ベース体１３が主ケース体１４側へ装着された際、基部２３側のボール４２が副ケース体１５側のボール係合溝４３に係合して位置決めされる。
【００５４】
このように、電子機器１２とベース体１３との組立体を図２，図３に示す矢印Ａ方向へ挿入（圧入）することにより、副ケース体１５の開口部１５ａ側を封止するように着脱自在に合体させることができる。
【００５５】
また、このように、電子機器１２とベース体１３との組立体を、ケース体１１に合体させた状態で、電子機器１２の操作部１７が、主ケース体１４の操作・表示窓部２５との位置合せが行なわれ、この操作・表示窓部２５をして取り扱い・操作することができる。
【００５６】
また、同時に電子機器１２の表示部１８も同様に、主ケース体１４の操作・表示窓部２５を通して外部へ表示される。
【００５７】
なお、電子機器１２の操作部１７は、例えばタッチパネル構造を採用する場合には、操作・表示窓部２５上より直接タッチ操作が可能である。
【００５８】
このように、ケース体１１の内部には、図１に示すように電子機器１２が防水作用を受けながら、また、外部からの衝撃にも耐え得る状態の収納室１６が形成される。
【００５９】
従って、電子機器１２は、例えば前記情報機器と共に移動しながら所望の場所にて、その操作部１７の操作釦１７ａの操作により端末機器として用いられる。
【００６０】
次に、電子機器１２を、ケース体１１に収納する手順について、図５を参照して説明する。
【００６１】
電子機器１２に外部接続ケーブル２８に接続されたコネクタ２２をコネクタ接続部１９にて接続する。
【００６２】
なお、この接続に先だってＯリング３３を外部接続ケーブル２８側へ通しておく＜ステップ１＞。
【００６３】
電子機器１２の胴体部１２ａをベース体１３の皿状に形成した胴体受部２１に支持する＜ステップ２＞。
【００６４】
コネクタ抑え金具３６をベース体１３の基部２３側にネジ（３９ａ〜３９ｄ）止めする。
【００６５】
このとき、コネクタ２２を抑えると同時に外部接続ケーブル２８を直接抑えるように基部２３側へしっかり固定する＜ステップ３＞。
【００６６】
Ｏリング３３を、ベース体１３の基部２３のＯリング保持用溝部３５およびコネクタ抑え金具３６のＯリング保持用溝部３７へ嵌着する＜ステップ４＞。
【００６７】
＜ステップ１＞〜＜ステップ４＞にて組立てられたベース体１３を、主ケース体１４と副ケース体１５とを予め副ケース体１５の薄肉凸部１５ｂを介して堅固に結合する。
【００６８】
そして、この結合により構成されたケース体１１の収納室１６側へ収納する。
【００６９】
このとき、電子機器１２の操作部１７および表示部１８がケース体１１側の操作・表示窓部２５に対向して外側へ露出するように位置合せする＜ステップ５＞。
【００７０】
＜ステップ５＞の完了と同時に、ベース体１３の基部２３の両側面部に弾力的に突出して設けたボール４２をケース体１１側のボール係合溝４３に係合させる（カチッという音で確認する）。
【００７１】
なお、ベース体１３をケース体１１側へ収納する際、ベース体１３側に設けた切欠部２２ａを手の指で押さえながら挿入する＜ステップ６＞。
【００７２】
このように、＜ステップ１＞〜＜ステップ６＞を経ることにより、電子機器１２をケース体１３側へ堅固にまた、防水対策が施された状態で組立てることができる。
【００７３】
また、電子機器収納ケース１０から電子機器１２を取り出す場合には、上述ステップの逆のステップを採ることにより容易に行なうことができる。
【００７４】
このように組立てられた電子機器収納ケース１０は、不意に落下しても破損するようなことがなく、また、防水性にも優れ、屋外で使用するにあたり頗る便利なものとなる。
【００７５】
なお、ベース体１３の基部２３にネジ止めされるコネクタ抑え金具３６は、必ずしも必要ではなく、副ケース体１５のみにより同様作用をなさしめるようにすることも可能である。
【００７６】
また、ベース体１３の基部２３側に設けたＯリング３３は、副ケース体１５側に設けた構成であってもよい。
【００７７】
更に、ベース体１３の基部２３の両側面部に弾力的に突出して設けたボール４２は、副ケース体１５側に設けてもよい。
【００７８】
この場合には、ベース体１３側に設けたボール係合溝４３は、副ケース体１５側に設けられる。
【００７９】
更にまた、弾力的に突出して設けたボール４２は、ベース体１３の基部２３の他の側面側にも設けるようにしてもよく、更には、この側面側にのみ設けるようにしてもよい。
【００８０】
また、ボール４２は、自ら弾力性を有するボール（図示せず）であってもよい。
【００８１】
更にまた、ケース体１１の操作・表示窓部２５に設けたフィルムシート２６は、シート面が曲がる方向に弾力性を有する一方、視認操作領域の縁部側には、前記フィルムシートの端縁を保持するスリット（図示せず）を形成して、このスリットにフィルムシート２６を折り曲げて弾力的に保持させるようにすることができる。
【００８２】
この場合には、電子機器１２の操作部１７や表示部１８の外力に対する保護作用を一層向上させることができる。
【００８３】
このように、本発明によれば、電子機器１２が収納された状態で、この電子機器１２の操作部１７と表示部１８が視認可能で、且つ操作可能な視認操作領域２５を形成した箱状の主ケース体１４と、この主ケース体１４の開口側から収納され、前記電子機器１２の胴体部１２ａを支持する胴体受部２１を備えたベース体１３と、このベース体１３に一体的に設けられ、前記電子機器１２に接続されるコネクタ２２を保持させるコネクタ保持用溝部３２を形成した基部２３と、前記コネクタ２２を前記基部２３のコネクタ保持用溝部３２に保持した状態で、前記コネクタ２２が前記コネクタ保持用溝部３２から外れないように基部２３の外側を覆うと共に、前記主ケース体１４の開口と一体的に結合される筒状の副ケース体１５とを備えた構成にしたから、ベース体１３に支持される電子機器１２のケース体１１内での座りが良いことと相俟って、ベース体１３の基部２３により、コネクタ接続部１９の補強がしっかりとなされるため、電子機器１２を使用中に例え落下して衝撃を受けた場合にでも、ケース体１１が強靭にして弾力性があるため、この衝撃を緩和させることができる。
【００８４】
従って、電子機器１２が容易に故障したり、破損したりすることを防ぐことができる。
【００８５】
【発明の効果】
本発明によれば、屋外で使用時に、不意に落下しても破損するようなことがなく、物が当たって破損したり、容易に壊れたりすることがない。
【００８６】
また、防水性にも優れ、雨や雪等の天候下でも安心且つ安全に使用することができる電子機器収納ケースを提供することができる。
【図面の簡単な説明】
【図１】本発明の実施形態における電子機器収納ケースの概略斜視図。
【図２】図１のＡ−Ａ線に沿う断面図。
【図３】図１のＢ−Ｂ線に沿う断面図。
【図４】図１の主ケース体および副ケース体を除いた状態の分解斜視図。
【図５】図１の組立て手順を示したフローチャート。
【符号の説明】
１０  電子機器収納ケース
１１  ケース体
１２  電子機器
１２ａ  胴体部
１３  ベース体
１４  主ケース体
１４ａ，１５ａ  開口部
１４ｂ，１５ｂ    薄肉凸部
１５  副ケース体
１５ｃ  切欠部
１６  収納室
１７  操作部
１７ａ  操作釦
１８  表示部
１９  コネクタ接続部
２１  胴体受部
２１ａ  曲面部
２２  コネクタ
２３  基部
２５  操作・表示窓部（視認操作領域）
２６  フィルムシート
２７  厚肉部
２８  外部接続ケーブル
３２  コネクタ保持用溝部
３３  Ｏリング（弾性体）
３５（３５ａ〜３５ｄ），３７（３７ａ〜３７ｄ）  Ｏリング保持用溝部
３６  コネクタ抑え金具（保持具）
３６ａ  ケーブル抑え部
３８（３８ａ〜３８ｄ）  ネジ穴
３９（３９ａ〜３９ｄ）  ネジ
４０  凹部
４１  バネ
４２  ボール
４３  ボール係合溝
【図１】
2005044973.tif 000003
【図２】
2005044973.tif 000004
【図３】
2005044973.tif 000005
【図４】
2005044973.tif 000006
【図５】
2005044973.tif 000007